(57)【要約】【課題】着用時に十分な強度が得られるとともに、廃棄時に非接合部に指を挿入しやすく、サイドシール部が引き裂きやすく、容易に取り外すことが可能なパンツ型吸収性物品を提供する。【解決手段】パンツ型吸収性物品１は、吸収性本体２及び外装体３を備え、両側縁部３８が接合されることにより腰周り開口部４及び一対の脚周り開口部５が形成され、外装体３は、第１弾性部材領域３１ａと、第２弾性部材領域３１ｂと、両者間に配置される非弾性部材領域３１ｃとを備え、両側縁部３８は、非弾性部材領域３１ｃの長手方向における領域内に配置される非接合部３８ａと、非接合部３８ａの両端に配置される第１サイドシール部３８ｂ及び第２サイドシール部３８ｃと、非接合部３８ａよりも幅方向の外縁側に配置されるとともに長手方向に沿って第１サイドシール部３８ｂと第２サイドシール部３８ｃとを接続する第３サイドシール部３８ｄとを有する。【選択図】図２
2020000592.tif 000002
【特許請求の範囲】
【請求項１】
吸収性本体と、
前記吸収性本体が内面側に設けられ、着用時に着用者の腹側に配置される腹側部と、着用時に着用者の背側に配置される背側部とを有する外装体とを備え、
前記腹側部及び前記背側部の両側縁部が接合されることにより腰周り開口部及び左右一対の脚周り開口部が形成されるパンツ型吸収性物品であって、
前記腹側部及び前記背側部は、いずれも、
前記腰周り開口部の端部側に配置されるとともに第１弾性部材が配置される第１弾性部材領域と、
前記第１弾性部材領域よりも前記脚周り開口部側に配置されるとともに第２弾性部材が配置される第２弾性部材領域と、
前記第１弾性部材領域及び前記第２弾性部材領域の間に配置される非弾性部材領域とを備え、
前記両側縁部は、
前記非弾性部材領域の長手方向における領域内に配置される非接合部と、
前記非接合部よりも前記腰周り開口部側に配置される第１サイドシール部と、
前記非接合部よりも前記脚周り開口部側に配置される第２サイドシール部と、
前記非接合部よりも幅方向の外縁側に配置されるとともに長手方向に沿って前記第１サイドシール部と前記第２サイドシール部とを接続する第３サイドシール部とを有する
ことを特徴とするパンツ型吸収性物品。
【請求項２】
前記非接合部は、前記非弾性部材領域及び前記第３サイドシール部と接続されるように、幅方向に沿って前記非弾性部材領域と前記第３サイドシール部との間に配置される
ことを特徴とする請求項１に記載のパンツ型吸収性物品。
【請求項３】
前記第１サイドシール部及び前記第２サイドシール部は、幅方向の寸法がほぼ同じであり、
前記第１サイドシール部又は前記第２サイドシール部の幅方向の寸法は、４ｍｍ以上７ｍｍ以下の範囲である
ことを特徴とする請求項１又は２に記載のパンツ型吸収性物品。
【請求項４】
前記非接合部の幅方向の寸法は、前記第１サイドシール部又は前記第２サイドシール部の幅方向の寸法の４５％以上５５％以下である
ことを特徴とする請求項３に記載のパンツ型吸収性物品。
【発明の詳細な説明】
【技術分野】
【０００１】
本発明は、パンツ型吸収性物品に関する。
【背景技術】
【０００２】
従来、パンツ型吸収性物品として、両側端部は、一の側端部に沿った長手方向の所定の所定位置に腹側部と背側部とが融着されておらず、空間部を形成することが可能な非融着部と、非融着部に対して腰周り開口部側の腹側部と背側部とが融着された上側融着部と、非融着部に対して脚開口部側の腹側部と背側部とが融着された下側融着部とを有し、非融着部は、指を挿入することができる程度の大きさを有し、上側融着部及び下側融着部は、引き裂き時に引き裂き方向を長手方向に沿うように誘導する誘導部を備えるものが提案されている（下記の特許文献１参照）。
【０００３】
上記のような特許文献１に記載のパンツ型吸収性物品によれば、非融着部及び誘導部を設けることで、引き裂き時に引き裂き方向が非融着部から長手方向に沿うように誘導されるので、廃棄時にサイドシール部が引き裂きやすく、容易に取り外すことができる。
【０００４】
しかしながら、上記のような特許文献１に記載のパンツ型吸収性物品では、廃棄時に指をサイドシール部の外縁側から非融着部に挿入してサイドシール部を引き裂くことを想到している。パンツ型吸収性物品を構成する外装体は、複数の不織布が重なっており、重なった不織布の中から腹側不織布と背側不織布との境目である非融着部を見つけることが困難であるといった不具合があった。また、サイドシール部の外側端部は、製品製造時に不織布が重なった状態でカットされて圧着された状態となるため、非融着部に指を挿入しにくいといった不具合があった。
【先行技術文献】
【特許文献】
【０００５】
【特許文献１】特開２０１３−１３５７１８号公報
【発明の概要】
【発明が解決しようとする課題】
【０００６】
ここで、本発明は、以上の課題に鑑みてなされたものであり、本発明は、着用時に十分な強度が得られるとともに、廃棄時に非接合部に指を挿入しやすく、サイドシール部が引き裂きやすく、容易に取り外すことが可能なパンツ型吸収性物品を提供することを目的とする。
【課題を解決するための手段】
【０００７】
（１）本発明に係る吸収性物品は、吸収性本体と、前記吸収性本体が内面側に設けられ、着用時に着用者の腹側に配置される腹側部と、着用時に着用者の背側に配置される背側部とを有する外装体とを備え、前記腹側部と前記背側部の両側縁部が接合されることにより腰周り開口部及び左右一対の脚周り開口部が形成されるパンツ型吸収性物品であって、前記腹側部及び前記背側部は、いずれも、前記腰周り開口部の端部側に配置されるとともに第１弾性部材が配置される第１弾性部材領域と、前記第１弾性部材領域よりも前記脚周り開口部側に配置されるとともに第２弾性部材が配置される第２弾性部材領域と、前記第１弾性部材領域及び前記第２弾性部材領域の間に配置される非弾性部材領域とを備え、前記両側縁部は、前記非弾性部材領域の長手方向における領域内に配置される非接合部と、前記非接合部よりも前記腰周り開口部側に配置される第１サイドシール部と、前記非接合部よりも前記脚周り開口部側に配置される第２サイドシール部と前記非接合部よりも幅方向の外縁側に配置されるとともに長手方向に沿って前記第１サイドシール部と前記第２サイドシール部とを接続する第３サイドシール部とを有するものである。
【０００８】
（２）上記構成（１）において、前記非接合部は、前記非弾性部材領域及び前記第３サイドシール部と接続されるように、幅方向に沿って前記非弾性部材領域と前記第３サイドシール部との間に配置されることが好ましい。
【０００９】
（３）上記構成（１）又は（２）において、前記第１サイドシール部及び前記第２サイドシール部は、幅方向の寸法がほぼ同じであり、前記第１サイドシール部又は前記第２サイドシール部の幅方向の寸法は、４ｍｍ以上７ｍｍ以下の範囲であることが好ましい。
【００１０】
（４）上記構成（３）において、前記非接合部の幅方向の寸法は、前記第１サイドシール部又は前記第２サイドシール部の幅方向の寸法の４５％以上５５％以下であることが好ましい。
【発明の効果】
【００１１】
本発明によれば、着用時に十分な強度が得られるとともに、廃棄時に非接合部に指を挿入しやすく、サイドシール部が引き裂きやすく、容易に取り外すことが可能なパンツ型吸収性物品を提供することができる。
【図面の簡単な説明】
【００１２】
【図１】本実施形態に係るパンツ型吸収性物品の製品状態外観図である。
【図２】本実施形態に係るパンツ型吸収性物品の展開図である。
【図３】図２のＩ−Ｉ線に沿う断面図である。
【発明を実施するための形態】
【００１３】
以下、図面を参照しながら発明を実施するための形態（以下、実施形態という）を詳細に説明する。また、実施形態の説明の全体を通して同じ要素に同じ符号を付する。なお、本明細書の説明において、パンツ型吸収性物品１の長手方向とは、パンツ型吸収性物品１が着用されたときに着用者の前後に亘る方向であり、図中、符号Ｙで示す方向である。また、パンツ型吸収性物品１の幅方向とは、長手方向に対して横又は直交する方向であり、図中、符号Ｘで示す方向である。さらに、本明細書の説明において、身体側とは、着用時に着用者の肌側に配される側を指し、衣類側とは、着用時に着用者の肌側とは反対側に向けられる側を指す。
【００１４】
＜パンツ型吸収性物品＞
以下、図１及び図２を参照しながら本実施形態に係るパンツ型吸収性物品１を詳細に説明する。
図１は、本実施形態に係るパンツ型吸収性物品１の製品状態外観図である。図２は、本実施形態に係るパンツ型吸収性物品１の展開図である。
【００１５】
図１に示すように、本実施形態に係るパンツ型吸収性物品１は、長手方向に沿って延在するように設けられる矩形状のシート材からなる吸収性本体２と、吸収性本体２が内面側に設けられ、着用時に着用者の腹側に配置される腹側部３１と、着用時に着用者の背側に配置される背側部３２とを有する外装体３とを備えている。
【００１６】
また、パンツ型吸収性物品１は、外装体３の腹側部３１と背側部３２との両側縁部３１２，３２２が融着などで接合されることにより腰周り開口部４及び左右一対の脚周り開口部５が形成されるとともに、左右一対の脚周り開口部５の間に股下部３３が形成されるようになっている。
【００１７】
さらに、パンツ型吸収性物品１は、外装体３のパンツ型吸収性物品１着用時の身体側となる内面側に、吸収性本体２のパンツ型吸収性物品１着用時の衣類側となる外面側がホットメルトなどの接着剤によって接着されて、吸収性本体２と外装体３とが一体化されている。そして、外装体３の股下部３３を吸収性本体２とともに折り曲げて外装体３の腹側部３１と背側部３２とを折り重ねたうえ、両側縁部３１２，３２２をヒートシール又は超音波シールで融着することにより、図１に示すようなパンツ型吸収性物品１に組み立てられる。
【００１８】
（吸収性本体）
つぎに、図２及び図３を参照しながらパンツ型吸収性物品１に用いられる吸収性本体２を詳細に説明する。
図３は、図２のＩ−Ｉ線に沿う断面図である。
【００１９】
図２及び図３に示すように、吸収性本体２は、最も身体側に配置された液透過性のトップシート２１と、トップシート２１に対向し、最も衣類側に配置された液不透過性のバックシート２２と、トップシート２１及びバックシート２２の間に配置された吸収体２３とを備えている。これにより、吸収体２３は、トップシート２１とバックシート２２との間に挟まれた構造となっている。
【００２０】
トップシート２１は、吸収体２３に向けて体液を速やかに通過させるものであり、吸収体２３を挟んで、バックシート２２に対向して配置される。トップシート２１は、肌と当接するシートとなることから、柔らかな感触で、肌に刺激を与えないような性質を有する、親水性不織布、開口ポリエチレンフィルムなどの開口性フィルム、ウレタンフォームなどの発泡フィルム又はこれらを積層した複合シートから形成される。なお、トップシート２１は、単層であっても、複数層積層していてもよく、ドライタッチ性を付与するために多数の透孔が形成されていてもよい。
【００２１】
また、上記のような性質を有する親水性不織布としては、ポリプロピレンやポリエチレンなどの合成繊維や、レーヨンなどの再生繊維、綿などの天然繊維を用いて、サーマルボンド法、エアスルー法、スパンレース法、スパンボンド法などの公知の加工法によって得られたものを用いることができる。なお、トップシート２１には、肌への刺激を低減させるために、ローション、酸化防止剤、抗炎症成分、ｐＨ調整剤、抗菌剤、保湿剤などを塗布してもよい。
【００２２】
バックシート２２としては、液不透過性を有し、かつ、遮水性を有するシート材が用いられるが、ムレ防止のために透湿性を有していてもよい。このような特性を有するバックシート２２の材料としては、例えば、ポリエチレンシートやポリエチレンラミネート不織布などの厚みの薄いプラスチックシートを挙げることができる。
【００２３】
本実施形態の吸収性本体２に用いる吸収体２３は、平面視において、略正方形又は略長方形に形成されるものであり、尿などの体液を吸収するための吸収性コア２３１と、この吸収性コア２３１を包むように覆うキャリアシート２３２とを有している。
【００２４】
吸収性コア２３１は、基材としての吸収性繊維と、高吸収性ポリマーとを含有している。吸収性繊維は、一般にパンツ型吸収性物品１に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。
【００２５】
高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物などの材料から形成されたものを使用することができる。これらの中でも、重量当たりの吸収量の観点から、ポリアクリル酸ナトリウム系が好ましい。
【００２６】
キャリアシート２３２は、吸収性コア２３１の全体を包むように覆っていてもよいし、上下から挟持するように覆っていてもよい。キャリアシート２３２が吸収性コア２３１を覆うことにより、吸収性コア２３１の形状を維持することができ、くわえて、高吸収性ポリマーが吸収体２３の外へ漏れることを防止することができる。キャリアシート２３２としては、ティシュ、吸収紙、スパンボンド不織布やエアレイド不織布などの親水性不織布を挙げることができ、液拡散性、保水性、コストの観点からティシュを用いることが好ましい。
【００２７】
吸収性本体２の身体側表面には、立体ギャザーが設けられていることが好ましい（図示しない）。この立体ギャザーは、トップシート２１とともに体液の閉じ込め空間を形成し、体液の漏れを防止できるようになっている。
【００２８】
（外装体）
つぎに、図１から図３を参照しながらパンツ型吸収性物品１に用いられる外装体３を詳細に説明する。
【００２９】
図１から図３ように、外装体３は、パンツ型吸収性物品１着用時の身体側となる内層シート３４とパンツ型吸収性物品１着用時の衣類側となる外層シート３５とを貼着して構成されるものである。なお、内層シート３４及び外層シート３５は、これらの厚み方向の寸法が０．３ｍｍ以上０．６ｍｍ以下の範囲であり、繊維の配向が幅方向となるように形成される不織布シートからなっている。さらに、内層シート３４及び外層シート３５の間には、後述する糸状の弾性部材が配置されて、伸縮性が付与されるようなっている。
【００３０】
また、外装体３は、平面視（展開視）で略砂時計形状に形成されるものであり、着用時に着用者の股間を覆う股下部３３と、股下部３３の前方側に位置付けられ着用時に着用者の腹部を覆う腹側部３１と、股下部３３の後方側に位置付けられ着用時に着用者の背部を覆う背側部３２と、腹側部３１及び背側部３２の幅方向の両側に長手方向に沿って延在するように腹側部３１及び背側部３２と一体に形成される長尺状の両側縁部３８とを有している。すなわち、股下部３３は、腹側部３１と背側部３２とを接続するように設けられている。なお、吸収性本体２は、少なくとも股下部３３を覆うように設けられている。
【００３１】
腹側部３１は、腰周り開口部４の端部側に配置される第１弾性部材領域３１ａ（ウェストギャザー）と、長手方向に沿って第１弾性部材領域３１ａよりも脚周り開口部５（股下部３３）側に配置される第２弾性部材領域３１ｂ（フィットギャザー）と、第１弾性部材領域３１ａ及び第２弾性部材領域３１ｂの間に配置される非弾性部材領域３１ｃとを有している。すなわち、第１弾性部材領域３１ａ、非弾性部材領域３１ｃ及び第２弾性部材領域３１ｂは、順に腰周り開口部４の端部側から脚周り開口部５（股下部３３）側に向かって配置されるようになっている。
【００３２】
第１弾性部材領域３１ａには、幅方向に沿って延在する複数の糸状のウェスト弾性部材３６（第１弾性部材）が長手方向に沿って所定の第１間隔を空けるように配置されている。これらのウェスト弾性部材３６は、着用者のウェスト部周りを締め付けるように伸縮性が付与されるものである。なお、第１弾性部材領域３１ａ及びウェスト弾性部材３６は、ウェストギャザーを構成している。
【００３３】
第２弾性部材領域３１ｂには、幅方向に沿って延在する複数の糸状の腰周り弾性部材３７（第２弾性部材）が長手方向に沿って所定の第２間隔を空けるように配置されている。これらの腰周り弾性部材３７は、着用者の腰周りを締め付けるように伸縮性が付与されるものである。なお、第２弾性部材領域３１ｂ及び腰周り弾性部材３７は、フィットギャザーを構成している。
【００３４】
本実施形態では、第１間隔は、第２間隔よりも小さくなるように形成されている（すなわち、ウェスト弾性部材３６の配置密度は、腰周り弾性部材３７の配置密度よりも大きくなるように形成されている）が、これに限定されるものではなく、必要に応じて、第２間隔と等しくなるように形成されてもよく、第２間隔よりも大きくなるように形成されてもよい。
【００３５】
非弾性部材領域３１ｃは、平面視で幅方向に沿って延在するように設けられる長尺状のものであり、弾性部材などが一切設けられていない。また、非弾性部材領域３１ｃは、その長手方向の寸法が、２０ｍｍ以上であることが好ましく、２５ｍｍ以上４０ｍｍ以下であることがより好ましい。なお、非弾性部材領域３１ｃの長手方向の寸法は、第１間隔及び第２間隔のいずれよりも大幅に大きくなることは言うまでもない。
【００３６】
第２弾性部材領域３１ｂの長手方向の寸法は、第１弾性部材領域３１ａの長手方向の寸法よりも大きくなるように形成されている。
【００３７】
背側部３２は、腰周り開口部４の端部側に配置される第１弾性部材領域３２ａ（ウェストギャザー）と、長手方向に沿って第１弾性部材領域３２ａよりも脚周り開口部５（股下部３３）側に配置される第２弾性部材領域３２ｂ（フィットギャザー）と、第１弾性部材領域３２ａ及び第２弾性部材領域３２ｂの間に配置される非弾性部材領域３２ｃとを有している。すなわち、第１弾性部材領域３２ａ、非弾性部材領域３２ｃ及び第２弾性部材領域３２ｂは、順に腰周り開口部４の端部側から脚周り開口部５（股下部３３）側に向かって配置されるようになっている。
【００３８】
第１弾性部材領域３２ａには、幅方向に沿って延在する複数の糸状のウェスト弾性部材３６（第１弾性部材）が長手方向に沿って所定の第１間隔を空けるように配置されている。これらのウェスト弾性部材３６は、着用者のウェスト部周りを締め付けるように伸縮性が付与されるものである。なお、第１弾性部材領域３２ａ及びウェスト弾性部材３６は、ウェストギャザーを構成している。
【００３９】
第２弾性部材領域３２ｂには、幅方向に沿って延在する複数の糸状の腰周り弾性部材３７（第２弾性部材）が長手方向に沿って所定の第２間隔を空けるように配置されている。これらの腰周り弾性部材３７は、着用者の腰周りを締め付けるように伸縮性が付与されるものである。なお、第２弾性部材領域３２ｂ及び腰周り弾性部材３７は、フィットギャザーを構成している。
【００４０】
本実施形態では、第１間隔は、第２間隔よりも小さくなるように形成されている（すなわち、ウェスト弾性部材３６の配置密度は、腰周り弾性部材３７の配置密度よりも大きくなるように形成されている）が、これに限定されるものではなく、必要に応じて、第２間隔と等しくなるように形成されてもよく、第２間隔よりも大きくなるように形成されてもよい。
【００４１】
非弾性部材領域３２ｃは、平面視で幅方向に沿って延在するように設けられる長尺状のものであり、弾性部材などが一切設けられていない。また、非弾性部材領域３２ｃは、その長手方向の寸法が、２０ｍｍ以上であることが好ましく、２５ｍｍ以上４０ｍｍ以下であることがより好ましい。なお、非弾性部材領域３２ｃの長手方向の寸法は、第１間隔及び第２間隔のいずれよりも大幅に大きくなることは言うまでもない。
【００４２】
第２弾性部材領域３２ｂの長手方向の寸法は、第１弾性部材領域３２ａの長手方向の寸法よりも大きくなるように形成されている。
【００４３】
図１及び図２に示すように、両側縁部３８は、非弾性部材領域３１ｃ，３２ｃの長手方向における領域内に配置される非接合部３８ａと、非接合部３８ａよりも腰周り開口部４側に配置される第１サイドシール部３８ｂと、非接合部３８ａよりも脚周り開口部５側に配置される第２サイドシール部３８ｃと、非接合部３８ａよりも幅方向の外縁側に配置される第３サイドシール部３８ｄとを有している。
【００４４】
図２に示すように、非接合部３８ａ、第１サイドシール部３８ｂの幅方向における身体側及び第２サイドシール部３８ｃの幅方向における身体側は、長手方向に沿って延在する第１直線上に設けられるとともに、第３サイドシール部３８ｄ、第１サイドシール部３８ｂの幅方向における外縁側及び第２サイドシール部３８ｃの幅方向における外縁側も、第１直線と平行になる第２直線上に設けられている。
【００４５】
非接合部３８ａは、長手方向に沿って第１サイドシール部３８ｂの幅方向における身体側と第２サイドシール部３８ｃの幅方向における身体側とを接続するためのものであり、非弾性部材領域３１ｃ，３２ｃの幅方向の端部及び第３サイドシール部３８ｄの幅方向の端部と接続されるように、幅方向に沿って非弾性部材領域３１ｃ，３２ｃと第３サイドシール部３８ｄとの間に配置されている。また、非接合部３８ａは、非弾性部材領域３１ｃ，３２ｃの長手方向における領域内に配置されるため、その長手方向の寸法が２０ｍｍ以上であることが好ましく、２５ｍｍ以上４０ｍｍ以下であることがより好ましい。
【００４６】
そして、非接合部３８ａの長手方向の寸法を、上記のような範囲に設定することにより、着用時に腰周り開口部４から指を確実にこの非接合部３８ａに挿入することができる。非接合部３８ａの長手方向の寸法が４０ｍｍを上回ると、着用時にパンツ型吸収性物品１の強度が十分に得られず、剥がれてしまうおそれがある。また、非接合部３８ａの長手方向の寸法が２０ｍｍを下回ると、指を上手く非接合部３８ａに挿入できなくなるおそれがある。
【００４７】
第１サイドシール部３８ｂは、腰周り開口部４の端部から非接合部３８ａの一端（図２の上端）まで長手方向に沿って延在するように設けられるものであり、その幅方向の寸法が４ｍｍ以上７ｍｍ以下の範囲であることが好ましい。
【００４８】
第２サイドシール部３８ｃは、脚周り開口部５の端部から非接合部３８ａの他端（図２の下端）まで長手方向に沿って延在するよう設けられるものであり、その幅方向の寸法が第１サイドシール部３８ｂの幅方向の寸法とほぼ同じで、４ｍｍ以上７ｍｍ以下の範囲であることが好ましい。
【００４９】
第１サイドシール部３８ｂ又は第２サイドシール部３８ｃの幅方向の寸法を、上記のような範囲に設定することにより、着用時に十分な強度が得られるとともに、廃棄時に両側縁部３８が引き裂きやすく、パンツ型吸収性物品１を容易に取り外すことができる。
【００５０】
第１サイドシール部３８ｂ又は第２サイドシール部３８ｃの幅方向の寸法が７ｍｍを上回ると、外装体３を構成する内層シート３４及び外層シート３５の繊維の配向が幅方向となるため、接合部としての第１サイドシール部３８ｂ又は第２サイドシール部３８ｃの幅方向の寸法が長すぎて、廃棄時に繊維が切れにくくなり、両側縁部３８が引き裂きにくくなる。また、第１サイドシール部３８ｂ又は第２サイドシール部３８ｃの幅方向の寸法が４ｍｍを下回ると、着用時に十分な強度が得られないとともに第１サイドシール部３８ｂ又は第２サイドシール部３８ｃと非接合部３８ａとの相違が認識しにくくなる。
【００５１】
第３サイドシール部３８ｄは、長手方向に沿って第１サイドシール部３８ｂの幅方向における外縁側と第２サイドシール部３８ｃの幅方向における外縁側とを接続するためのものであり、その幅方向の寸法が４５％以上５５％以下の範囲であることが好ましい。
【００５２】
また、非接合部３８ａの幅方向の寸法は、第１サイドシール部３８ｂ又は第２サイドシール部３８ｃの幅方向の寸法の４５％以上５５％以下の範囲であることが好ましい。そして、非接合部３８ａの幅方向の寸法を、上記のような範囲に設定することにより、非接合部３８ａの位置が認識しやすくなるとともに第３サイドシール部３８ｄの融着が行いやすくなる。
【００５３】
非接合部３８ａの幅方向の寸法が第１サイドシール部３８ｂ又は第２サイドシール部３８ｃの幅方向の寸法の５５％を上回ると、第３サイドシール部３８ｄの幅方向の寸法が小さくなりすぎて、第３サイドシール部３８ｄの融着が行いにくくなる。また、非接合部３８ａの幅方向の寸法が第１サイドシール部３８ｂ又は第２サイドシール部３８ｃの幅方向の寸法の４５％を下回ると、第１サイドシール部３８ｂ又は第２サイドシール部３８ｃと非接合部３８ａとの相違が分からなくなり、非接合部３８ａの位置が認識しにくくなる。
【００５４】
そして、腹側部３１の両側縁部３８と背側部３２の両側縁部３８とは、ヒートシール又は超音波シールなどの公知の方法を用いて融着されている。このとき、腹側部３１の非接合部３８ａ及び背側部３２の非接合部３８ａは、融着されないようになっている。
【００５５】
（本実施形態の効果）
このように構成される、本実施形態に係るパンツ型吸収性物品１は、吸収性本体２と、吸収性本体２が内面側に設けられ、着用時に着用者の腹側に配置される腹側部３１と、着用時に着用者の背側に配置される背側部３２とを有する外装体３とを備え、腹側部３１及び背側部３２の両側縁部３８が接合されることにより腰周り開口部４及び左右一対の脚周り開口部５が形成されるものであって、腹側部３１及び背側部３２は、いずれも、腰周り開口部４の端部側に配置されるとともにウェスト弾性部材３６が配置される第１弾性部材領域３１ａ，３２ａと、第１弾性部材領域３１ａ，３２ａよりも脚周り開口部５側に配置されるとともに腰周り弾性部材３７が配置される第２弾性部材領域３１ｂ，３２ｂと、第１弾性部材領域３１ａ，３２ａ及び第２弾性部材領域３１ｂ，３２ｂの間に配置される非弾性部材領域３１ｃ，３２ｃとを備え、両側縁部３８は、非弾性部材領域３１ｃ，３２ｃの長手方向における領域内に配置される非接合部３８ａと、非接合部３８ａよりも腰周り開口部４側に配置される第１サイドシール部３８ｂと、非接合部３８ａよりも脚周り開口部５側に配置される第２サイドシール部３８ｃと、非接合部３８ａよりも幅方向の外縁側に配置されるとともに長手方向に沿って第１サイドシール部３８ｂと第２サイドシール部３８ｃとを接続する第３サイドシール部３８ｄとを有するものである。これにより、非接合部３８ａを、非弾性部材領域３１ｃ，３２ｃの長手方向における領域内において両側縁部３８の内縁側に設けることにより、廃棄時に手を腰周り開口部４から入れて、指で両側縁部３８の内縁側を触ることで非接合部３８ａを簡単に見つけることができ、それから指を容易に非接合部３８ａに挿入することができ、長手方向に沿って第１サイドシール部３８ｂ、第２サイドシール部３８ｃ及び第３サイドシール部３８ｄを容易に引き裂くことができ、その後、引き裂くことによって生じた開口を腰周り開口部４の外側から広げることにより、サイドシール部の溶着パターンを特別な形状にしなくても、軽い力で長手方向に沿ってサイドシール部を剥離することができるため、パンツ型吸収性物品１を容易に取り外すことができる。
【００５６】
また、第３サイドシール部３８ｄは、第１サイドシール部３８ｂと第２サイドシール部８ｃとを接続するので、非接合部３８ａが第３サイドシール部３８ｄにより覆われるので、パンツ型吸収性物品１の外観上の美観性を保つことができる。
【００５７】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００５８】
１          パンツ型吸収性物品
２        吸収性本体
２１    トップシート
２２    バックシート
２３    吸収体
２３１  吸収性コア
２３２  キャリアシート
３        外装体
３１    腹側部
３１ａ  第１弾性部材領域
３１ｂ  第２弾性部材領域
３１ｃ  非弾性部材領域
３２    背側部
３２ａ  第１弾性部材領域
３２ｂ  第２弾性部材領域
３２ｃ  非弾性部材領域
３３    股下部
３４    内層シート
３５    外側シート
３６    ウェスト弾性部材（第１弾性部材）
３７    腰周り弾性部材（第２弾性部材）
３８    両側縁部
３８ａ  非接合部
３８ｂ  第１サイドシール部
３８ｃ  第２サイドシール部
３８ｄ  第３サイドシール部
４        腰周り開口部
５        脚周り開口部
【図１】
2020000592.tif 000003
【図２】
2020000592.tif 000004
【図３】
2020000592.tif 000005